(57)【特許請求の範囲】
【請求項１】
機器本体の使用状態での前側に配された前面カバーと、音を発生させる振動板を有するスピーカーとを備えた電気機器であって、
前記前面カバーは、その厚さ方向に貫通する貫通孔が設けられていない領域である閉塞壁部を有し、
前記スピーカーは、前記振動板の外端部を支持するフレームを有し、
前記閉塞壁部の内面側に、前記閉塞壁部を振動させうるように前記振動板を前記電気機器の前方に向けて配され、
前記閉塞壁部の内面には、前記フレームと当接して、前記スピーカーを支持するための支持部が形成され、
前記支持部には、前記スピーカーをその後側から覆うキャップ部材が装着され、前記フレームは、前記支持部と前記キャップ部材とによって挟持されていることを特徴とする電気機器。
【請求項２】
前記支持部は、前記閉塞壁部の内面から円筒状に突出する請求項１記載の電気機器。
【請求項３】
前記支持部は、内周側の第１支持部と外周側の第２支持部とを有し、
前記キャップ部材は、内周側で前記フレームの前面と当接する第１当接面と、外周側で前記第２支持部と当接する第２当接面とを有する請求項１又は２に記載の電気機器。
【請求項４】
前記第１支持部と前記第２支持部との間には、中空部が設けられている請求項３に記載の電気機器。
【請求項５】
前記中空部には、前記第１支持部と前記第２支持部とを連結する連結部が設けられている請求項４記載の電気機器。
【請求項６】
前記第２支持部は、前記キャップ部材の側に突出し、前記フレームの側面と当接する突出部を有する請求項３乃至５のいずれかに記載の電気機器。
【発明の詳細な説明】
【技術分野】
【０００１】
本発明は、スピーカーを備えた電気機器に関する。
【背景技術】
【０００２】
従来から、スピーカーを用いて音を発生させる電気機器が知られている。例えば、特許文献１には、音声ガイドを出力するためのスピーカーを備えた電解水生成装置が開示されている。この電解水生成装置では、流し台から飛散する水による漏電を防止するために、スピーカーは、装置の底壁の内面側において、下方に振動板を向けて配されている。
【先行技術文献】
【特許文献】
【０００３】
【特許文献１】特開２００７−１９６０７８号公報
【０００４】
しかしながら、上記特許文献１に示された電解水生成装置では、下方に振動板を向けて配されている都合上、装置と設置面との間から漏れた音がユーザーに伝わるため、音抜けが悪く、音の鮮明度も低下する。また、上記電解水生成装置では、音抜けを幾分でも改善するために、底壁に貫通孔（同文献中、音の出口用孔９）が設けられている。しかしながら、貫通孔から装置内部に水が進入すると漏電が発生するおそれがある。また、スピーカーが装置の底壁に配されているので、何らかの事情により装置内で水漏れが生じた場合、スピーカーが濡れやすくなり、漏電が発生するおそれがある。
【発明の概要】
【発明が解決しようとする課題】
【０００５】
本発明は、以上のような実状に鑑み案出されたもので、スピーカーから出力される音の音量及び音質が良好で、かつ漏電を抑制できる電気機器を提供することを主たる目的としている。
【課題を解決するための手段】
【０００６】
本発明は、機器本体の使用状態での前側に配された前面カバーと、音を発生させる振動板を有するスピーカーとを備えた電気機器であって、前記前面カバーは、その厚さ方向に貫通する貫通孔が設けられていない領域である閉塞壁部を有し、前記スピーカーは、前記閉塞壁部の内面側に、前記閉塞壁部を振動させうるように配されていることを特徴とする。
【０００７】
本発明に係る前記電気機器において、前記スピーカーは、前記振動板を前記電気機器の前方に向けて配されていることが望ましい。
【０００８】
本発明に係る前記電気機器において、前記閉塞壁部の内面には、前記スピーカーの外周部と当接して、前記スピーカーを支持するための支持部が形成されていることが望ましい。
【０００９】
本発明に係る前記電気機器において、前記支持部は、前記閉塞壁部の内面から円筒状に突出することが望ましい。
【００１０】
本発明に係る前記電気機器において、前記支持部に装着され、前記スピーカーをその後側から覆うキャップ部材をさらに有することが望ましい。
【００１１】
本発明に係る前記電気機器において、前記スピーカーの前記外周部は、前記支持部と前記キャップ部材とによって挟持されていることが望ましい。
【００１２】
本発明に係る前記電気機器において、前記支持部又は前記キャップ部材には、前記スピーカーに接続される信号線を通すための開口が設けられていることが望ましい。
【００１３】
本発明に係る前記電気機器において、前記開口は、電気機器の使用状態において、前記支持部の下方側に設けられていることが望ましい。
【００１４】
本発明に係る前記電気機器において、前面カバーの外面には、少なくとも前記支持部に対応する領域を覆うように、目隠しシートが固着されていることが望ましい。
【発明の効果】
【００１５】
本発明の電気機器は、機器本体の使用状態での前側に配された前面カバーと、音を発生させる振動板を有するスピーカーとを備える。前面カバーは、電気機器の前方から飛散する水を遮断し、電気機器の漏電を抑制する。しかも、前面カバーは、その厚さ方向に貫通する貫通孔が設けられていない領域である閉塞壁部を有し、スピーカーは、閉塞壁部の内面側に配されている。従って、閉塞壁部によって、スピーカーへの水の進入が防止され、電気機器の漏電がより一層抑制される。
【００１６】
スピーカーは、閉塞壁部ひいては前面カバーを振動させうるように配されている。従って、前面カバーの振動により、電気機器の前方の空気が振動し、十分な音量で鮮明度の高い音が前面から出力されうる。
【図面の簡単な説明】
【００１７】
【図１】本発明の電気機器の一例である電解水生成装置の一実施形態を示す斜視図である。
【図２】図１の前面カバー及びスピーカーの断面図である。
【図３】図１の前面カバーの内面側から視たスピーカーの取付構造を示す組み立て斜視図である。
【図４】図１の前面カバー及びスピーカーの別の断面図である。
【図５】図２のキャップ部材の構成を示す斜視図である。
【図６】図１の電解水生成装置の内部の構成を示す図である。
【発明を実施するための形態】
【００１８】
以下、本発明の実施の一形態が図面に基づき説明される。
図１は、本実施形態の電気機器の一例である電解水生成装置の外観を示す斜視図である。電解水生成装置１は、キッチンの流し台等に設置され、水道水を電気分解して水素が溶け込んだ電解水素水（溶存水素水）等を生成する。図１に示されるように、本実施形態の電解水生成装置１は、前面カバー２と、スピーカー３とを備えている。
【００１９】
前面カバー２は、例えば、金型内に樹脂を射出注入することにより、成形される。本実施形態では、例えば、ＡＢＳ（アクリロニトリル、ブタジエン、スチレン）樹脂が用いられている。前面カバー２の厚さは、例えば、１ｍｍ〜３ｍｍである。前面カバー２は、部分的に厚さが異なっていてもよい。
【００２０】
前面カバー２は、機器本体１０の使用状態での前側１１に配されている。機器本体１０の使用状態での前側１１とは、電解水生成装置１が通常使用される状態で流し台等に設置されたとき、機器本体１０の正面側を意味している。従って、機器本体１０の使用状態での前側１１には、電解水生成装置１の動作状態等を表示する表示部１２や、ユーザーによって操作される操作部１３等が設けられている。
【００２１】
表示部１２には、例えば、ＬＣＤ（Liquid Crystal Display）１２ａ等の表示パネルが適用されうる。ＬＣＤは、電解水生成装置１の動作状態等を文字情報や図形情報等の画像で表示する。
【００２２】
操作部１３には、例えば、ユーザーによって操作される複数の操作ボタン１３ａが配列されている。各操作ボタン１３ａの背面には、電解水生成装置１の動作モードの切替を行なうためのスイッチ（図示せず）が設けられている。スイッチは、電解水生成装置１の制御を司る制御部等に接続されている。ユーザーによって操作ボタン１３ａが操作されると、スイッチが動作して上記制御部に信号が入力され、電解水生成装置１の動作モードが切り替わる。
【００２３】
前面カバー２は、表示部１２及び操作部１３が設けられる領域に、前面カバー２を貫通する開口（図示せず）を有している。前面カバー２は、機器本体１０の使用状態での後側に配される後面カバーや、上側に配される上面カバー等と一体的に形成されていてもよい。前面カバー２は、電解水生成装置１の前方から飛散する水を遮断し、電解水生成装置１の漏電を抑制する。
【００２４】
スピーカー３は、空気を振動させて音を発生させる振動板３１を有している。振動板３１の振動に伴い、特に振動板３１の前方の空気が振動し、音が伝搬される。スピーカー３は、前面カバー２の内面側に配されている。
【００２５】
図２は、前面カバー２及びスピーカー３の断面を示している。前面カバー２は、その厚さ方向に貫通する貫通孔が設けられていない領域である閉塞壁部２１を有している。閉塞壁部２１は、電解水生成装置１の前方から飛散する水の機器本体１０への進入を遮断する。スピーカー３は、閉塞壁部２１の内面２１ｉ側に配されている。従って、閉塞壁部２１によって、スピーカー３への水の進入が防止され、電解水生成装置１の漏電がより一層抑制される。
【００２６】
スピーカー３は、閉塞壁部２１を振動させうるように配されている。例えば、スピーカー３は、閉塞壁部２１に近づけて配される。この際、スピーカー３は、振動板３１を閉塞壁部２１に向けて、すなわち電解水生成装置１の前方に向けて配されている。従って、振動板３１の振動は、振動板３１と閉塞壁部２１との間の空気を介して閉塞壁部２１に伝搬し、閉塞壁部２１が振動する。
【００２７】
振動板３１の振動を閉塞壁部２１に効率よく伝搬させるためには、振動板３１が閉塞壁部２１に向けて配されているのが望ましい。しかしながら、振動板３１の前方又は後方の空気の振動が、閉塞壁部２１に伝搬される構成であれば、振動板３１の向きは限定されない。例えば、振動板３１と閉塞壁部２１との間にダクト等を配することにより、振動板３１の向きを任意とすることができる。また、振動板３１を閉塞壁部２１に当接させて、振動板３１が直接的に閉塞壁部２１を振動させる構成であってもよい。
【００２８】
本実施形態では、スピーカー３が、閉塞壁部２１ひいては前面カバー２を振動させうるように配されているので、閉塞壁部２１及び前面カバー２の振動により、電解水生成装置１の前方の空気が振動し、十分な音量で鮮明度の高い音が前面から出力されうる。
【００２９】
スピーカー３は、振動板３１と、振動板３１を駆動するコイル３２と、振動板３１及びコイル３２を支持するためのフレーム３３とを有している。振動板３１の外周部には、エッジ部３１ｅが設けられている。振動板３１の本体部は、エッジ部３１ｅによって前後方向に振動可能に吊架され、コイル３２によって駆動される。フレーム３３には、振動板３１を支持する支持部３３ｅが設けられている。支持部３３ｅは、エッジ部３１ｅのさらに外側に形成され、振動板３１の外端部を挟み込んで拘束する。従って、フレーム３３の支持部３３ｅがスピーカー３の外周部３ｅになる。スピーカー３の構成は、図２等に示されるものに限られず、公知のスピーカーを適宜採用できる。
【００３０】
図３は、前面カバー２の内面２ｉ側から視たスピーカー３の取付構造を示す組み立て斜視図である。閉塞壁部２１の内面２１ｉには、スピーカー３を支持するための支持部２２が形成されている。支持部２２は、スピーカー３の外周部３ｅと当接して、スピーカー３を支持する。これにより、振動板３１が、閉塞壁部２１を振動させうるように、閉塞壁部２１に対向して配置される。
【００３１】
支持部２２は、閉塞壁部２１の内面２１ｉから円筒状に突出する。支持部２２は、その先端面２２ｅでスピーカー３の外周部３ｅと当接して、スピーカー３を支持する。閉塞壁部２１の内面２１ｉから円筒状に突出する支持部２２によって、スピーカー３は、閉塞壁部２１から距離を隔てて配される。これにより、振動中の振動板３１と閉塞壁部２１との干渉が防止され、音の鮮明度が高められる。
【００３２】
支持部２２には、キャップ部材４が装着されている。キャップ部材４は、例えば、ねじ５等によって閉塞壁部２１に固定されている。キャップ部材４には、ねじ５が挿入される貫通孔４１が設けられた固定部４２が形成されている。一方、閉塞壁部２１には、固定部４２と対向して、ねじ５が螺入されるボス２３が設けられている。ボス２３は、支持部２２に隣接して配されている。
【００３３】
キャップ部材４は、スピーカー３をその後側から覆う。スピーカー３の後側にキャップ部材４が装着されることにより、スピーカー３への水の浸入が抑制され、電解水生成装置１の漏電がより一層抑制される。
【００３４】
図２に示されるように、スピーカー３の外周部３ｅは、支持部２２とキャップ部材４とによって挟持されている。これにより、スピーカー３と前面カバー２とが強固に固着される。また、所定の硬化時間を必要とする接着剤等を用いることなくスピーカー３と前面カバー２とを固着できるため、スピーカー３の組み立てに要する時間が短縮され、電解水生成装置１の生産効率を高めることができる。また、スピーカー３の交換も容易に行なうことが可能となる。
【００３５】
図４は、前面カバー２及びスピーカー３の断面を示している。本実施形態の電解水生成装置１では、スピーカー３は、振動板３１を閉塞壁部２１に向けて、前面カバー２に装着され、支持部２２とキャップ部材４とによって挟持されているので、スピーカー３を機器本体１０の底壁７から上方に距離を隔てて配置することが可能である。従って、何らかの事情により装置内で水漏れが生じた場合であっても、スピーカー３が水に濡れにくく、漏電を抑制することが可能となる。
【００３６】
また、底壁７に上記特許文献１に示された貫通孔等を設けることなく、十分な音量で鮮明度の高い音を出力することが可能となる。従って、底壁７下によって電解水生成装置１の下部を遮蔽でき、より一層漏電を抑制することが可能となる。
【００３７】
スピーカー３の後側には、信号線３４が接続されている。信号線３４は、コイル３２に給電するために設けられている。
【００３８】
図３及び４に示されるように、支持部２２には、信号線３４を通すための開口２２ｃが設けられている。また、本実施形態では、キャップ部材４には、信号線３４をスピーカー３の後側から前側に挿通するための挿通部４３が設けられている。挿通部４３は、信号線３４を被うようにキャップ部材４の外側に突出して形成され、挿通部４３の内側には、信号線３４をスピーカー３の外周部３ｅとの干渉を回避しつつ、スピーカー３の後側から前側に挿通するための空間４３ａが形成されている。
【００３９】
開口２２ｃは、上述した電解水生成装置１の使用状態において、支持部２２の下方側に設けられている。従って、何らかの事情により、支持部２２の上方から水が落下する場合にあっても、支持部２２及びキャップ部材４によって遮断することができる。これにより、スピーカー３への水の浸入が抑制され、電解水生成装置１の漏電がより一層抑制される。
【００４０】
既に述べたように、前面カバー２は、射出成形によって形成される。本実施形態では、閉塞壁部２１の内面２１ｉに支持部２２が設けられているので、支持部２２を構成する樹脂が成形後の冷却により収縮すると、閉塞壁部２１の外面２１ｏに「ひけ」と呼ばれる微小窪みが生ずることがある。このような微小窪みが前面カバー２に生じた場合、電解水生成装置１の外観を悪化させる一因となる。
【００４１】
図１に示されるように、本実施形態では、上述した微小窪みを隠すために、前面カバー２の外面２ｏに、目隠しシート６が固着されている。目隠しシート６は、少なくとも支持部２２に対応する領域を覆うように設けられている。本実施形態では、支持部２２と正面視で重複する領域から各操作ボタン１３ａが設けられている領域に亘って、目隠しシート６が設けられている。 
【００４２】
目隠しシート６の表面には、各操作ボタン１３ａの機能や電解水生成装置１のブランド名又は商品名等、各種の印刷等を施すことができる。目隠しシート６の裏面には、粘着剤６１が塗布されている。粘着剤６１によって、目隠しシート６は、前面カバー２の外面２ｏに貼付けられる。目隠しシート６によって、電解水生成装置１の外観を良好なものとすることができる。
【００４３】
図２乃至４に示されるように、支持部２２は、内周側の第１支持部２５と、外周側の第２支持部２６とを有している。第１支持部２５と第２支持部２６との間には、中空部２７が設けられることにより、隙間Ｇが形成されている。本実施形態では、かかる中空部２７が、第１支持部２５と第２支持部２６との間に設けられているので、支持部２２のボリュームが減少し、前面カバー２に上記微小窪みが生ずることを効果的に抑制でき、電解水生成装置１の外観をより一層良好なものとすることができる。
【００４４】
第１支持部２５は、スピーカー３の外周部３ｅの前面と当接する。第２支持部２６は、その一部がキャップ部材４の側に突出する突出部２６ａを有している。突出部２６ａは、スピーカー３の外周部３ｅの側面と当接する。突出部２６ａによってスピーカー３が案内され位置決めされる。また、中空部２７には、第１支持部２５と第２支持部２６とを連結する連結部２８が適宜設けられている。連結部２８によって第１支持部２５及び第２支持部２６が補強される。
【００４５】
図５は、キャップ部材４の構成を示している。キャップ部材４は、第１当接面４５と第２当接面４６とを有している。第１当接面４５は、スピーカー３の外周部３ｅの後面と当接する。第１当接面４５は、第１支持部２５との間で、スピーカー３の外周部３ｅを挟持する。第２当接面４６は、第２支持部２６の先端面と当接する。第２当接面４６と第２支持部２６とが当接することにより、スピーカー３への水の浸入がより一層抑制される。また、キャップ部材４には、突出部２６ａに対応する凹部４７が形成されている。突出部２６ａと凹部４７とが嵌め合わされることにより、支持部２２に対してキャップ部材４が容易に位置決めされる。
【００４６】
図６には、電解水生成装置１の内部の構成が示されている。電解水生成装置１は、水道水を浄化する浄水カートリッジ８１と、浄水カートリッジ８１によって浄化された水を電気分解する電解槽８２と、電解槽８２の上流及び下流の流路を切り替える流路切替弁８３ａ及び８３ｂと、電解水生成装置１を制御する制御部８４とを備えている。
【００４７】
浄水カートリッジ８１は、機器本体１０に対して着脱自在に構成されている。浄水カートリッジ８１によって浄化された水は、第１配管８５、第１子配管８５ａ及び第２子配管８５ｂを介して電解槽８２に供給される。
【００４８】
電解槽８２は、隔膜８２ａで区分された陽極室８２ｂと陰極室８２ｃとを有する。隔膜８２ａは、電解槽８２内でイオンを透過させるイオン交換膜である。陽極室８２ｂに設けられた陽極板８２ｄと、陰極室８２ｃに設けられた陰極板８２ｅとの間に直流電圧が印加されると、電気分解により陰極室８２ｃで水素が溶け込んだ電解水素水が、陽極室８２ｂで酸性水がそれぞれ生成される。陽極板８２ｄと陰極板８２ｅとの間に印加する直流電圧は、例えば、制御部８４によって制御される。陰極室８２ｃで生成された電解水素水は、第２配管８６を介して送出される。一方、陽極室８２ｂで生成された酸性水は、第３配管８７を介して送出される。
【００４９】
制御部８４は、各部の制御を司る。例えば、制御部８４は、各極板８２ｄ、８２ｅの極性や流路切替弁８３ａ及び８３ｂの動作を制御する。これにより、電解水生成装置１の動作モードが、第２配管８６から電解水素水を送出する電解水素水生成モード、第２配管８６から酸性水を送出する酸性水生成モード又は第２配管８６から浄水を送出する浄水生成モードに切り替えられる。いずれのモードで電解水生成装置１を動作させるかは、操作部１３から入力された信号に基づく。
【００５０】
また、制御部８４は、スピーカー３の出力音を制御する。例えば、制御部８４は、電解水生成装置１の動作モードに応じて、メロディー音又はブザー音（ピープ音）等の音情報をスピーカー３から出力させる。また、制御部８４は、浄水カートリッジ８１の交換時期が近づいたとき、浄水カートリッジ８１の交換を促す音声等の音情報をスピーカー３から出力させる。
【００５１】
以上のような構成を有する本実施形態の電解水生成装置１によれば、機器本体の使用状態での前側に配された前面カバー２と、音を発生させる振動板３１を有するスピーカー３とを備える。前面カバー２は、電解水生成装置１の前方から飛散する水を遮断し、電解水生成装置１の漏電を抑制する。しかも、前面カバー２は、その厚さ方向に貫通する貫通孔が設けられていない領域である閉塞壁部２１を有し、スピーカー３は、閉塞壁部２１の内面２１ｉ側に配されている。従って、閉塞壁部２１によって、スピーカー３への水の進入が防止され、電解水生成装置１の漏電がより一層抑制される。
【００５２】
スピーカー３は、閉塞壁部２１ひいては前面カバー２を振動させうるように配されている。従って、前面カバー２の振動により、電解水生成装置１の前方の空気が振動し、十分な音量で鮮明度の高い音が前面から出力されうる。
【００５３】
以上、本発明の電解水生成装置１が詳細に説明されたが、本発明は上記の具体的な実施形態に限定されることなく種々の態様に変更して実施される。例えば、本発明は、少なくとも、機器本体１０の使用状態での前側１１に配された前面カバー２と、音を発生させる振動板３１を有するスピーカー３とを備え、前面カバー２は、その厚さ方向に貫通する貫通孔が設けられていない領域である閉塞壁部２１を有し、スピーカー３は、閉塞壁部２１の内面２１ｉ側に、閉塞壁部２１を振動させうるように配されていればよい。従って、本発明の電気機器の形態は、電解水生成装置１に限られることなく、スピーカー３を備え、かつ、ある程度の防水性が要求される電気機器、例えば、流し台及びその周辺に設置される電気機器に広く適用可能である。
【符号の説明】
【００５４】
１    電解水生成装置（電気機器）
２    前面カバー
３    スピーカー
３ｅ  外周部
４    キャップ部材
６    目隠しシート
２１    閉塞壁部
２２    支持部
２２ｃ  開口
３１    振動板
３４    信号線
【要約】
【課題】スピーカーから出力される音の音量及び音質が良好で、かつ漏電を抑制できる電気機器を提供する。
【解決手段】電解水生成装置１は、機器本体１０の使用状態での前側１１に配された前面カバー２と、音を発生させる振動板３１を有するスピーカー３とを備える。前面カバー２は、その厚さ方向に貫通する貫通孔が設けられていない領域である閉塞壁部２１を有する。スピーカー３は、閉塞壁部２１の内面側に、閉塞壁部２１を振動させうるように配されている。
【選択図】図１【図１】
0005883483.tif 000002
【図２】
0005883483.tif 000003
【図３】
0005883483.tif 000004
【図４】
0005883483.tif 000005
【図５】
0005883483.tif 000006
【図６】
0005883483.tif 000007